(57)【特許請求の範囲】
【請求項１】
コンクリートスラブ上で複数離間して平行に配設した木製の根太材の上に、木製のフローリング材を上記根太材に対して略直交方向に複数近接させて敷設するための、木製床構造における根太材とフローリング材との結合金具であって、
該結合金具は、
隣接して配置される２枚のフローリング材の向き合う側面部に両フローリング材の長手方向に沿って形成された溝部に嵌入されるよう両フローリング材側に向けて延設され、フローリング材の長さ方向に所定の長さ寸法を有する係止板部と、
前記両係止板部の上記隣合う２枚のフローリング材の間に相当する中央位置から下方に向けて延設され、且つフローリング材の延設方向に沿って延設される板状の吊架板部と、
前記吊架板部の下側縁部から上記フローリング材の長手方向へ棒状に延び、その先端には上記根太材の側面の長手方向へ形成された溝部に打ち込む楔状の尖端を形成した突設部と
を備えたことを特徴とする木製床構造における根太材とフローリング材との結合金具。
【請求項２】
上記係止板部は、フローリング材の長さ方向に沿う長さ寸法が、フローリング材の幅方向に沿う幅寸法より大きい請求項１に記載の木製床構造における根太材とフローリング材との結合金具。
【請求項３】
上記結合金具は、尖端の形状を、結合金具が打ち込まれたときフローリング材が下方に向け移動するように構成された請求項１又は請求項２に記載の木製床構造における根太材とフローリング材との結合金具。
【請求項４】
上記結合金具の尖端は、突設部の上側の傾斜面を先端に向け下方に傾斜させて形成した請求項１、請求項２又は請求項３に記載の木製床構造における根太材とフローリング材との結合金具。
【請求項５】
コンクリートスラブ上に木製の根太材を複数離間して平行に配設し、この根太材上に木製のフローリング材を上記根太材に対して略直交方向に複数近接させて敷設し、上記根太材と上記フローリング材とを請求項１ないし請求項４に記載の結合金具で結合する木製フローリング材の敷設方法において、
上記フローリング材には、その側面部に長手方向に沿って上記結合金具の係止板部が嵌入できる溝部を形成し、
根太材には、その側面に長手方向に沿って上記結合金具の突設部を打ち込むことができる溝部を形成し、
上記フローリング材の溝部に上記結合金具の係止板部を嵌入させつつ、上記根太材の溝部に上記結合金具の突設部を打ち込んで、フローリング材を根太材に結合し、
上記根太材に打ち込まれた結合金具の係止板部に、次のフローリング材の溝部を嵌入させて配置し、反対側の側面部に形成した溝部に次の結合金具の係止板部を嵌入させるとともに、この結合金具の突設部を根太材に打ち込み、
この手順を順次行い、根太材上にフローリング材を敷設することを特徴とする木製フローリング材の敷設方法。
【発明の詳細な説明】
【０００１】
【発明の技術分野】
この発明は、木製床構造における根太材とフローリング材との結合金具及び木製フローリング材の敷設方法に係り、特にコンクリートスラブ上に複数の根太材を複数離間して平行に配設し、この根太材上に木製のフローリング材を根太材に対して略直交方向に敷設して構成した木製床構造における根太材とフローリング材との結合金具、及びこの金具を使用した木製フローリング材の敷設方法に関する。
【０００２】
【従来の技術】
従来、木製床構造として、図５に示すようなものがある。この例に係る木床構造は、一般的に屋外に配設されるものである。この例は、敷設されたコンクリートスラブ５１上に木製の根太材５２を所定間隔を隔てて互いに平行に支承して、これらの根太材５２の間に硬質木製の床材（フローリング材）５３を敷設して木ねじ６３で固定するようにしたものである。
【０００３】
この例では、根太材５２は、コンクリートスラブ５１上に配置されたモルタル５５上にレベル合わせを行って配置され、ねじ棒５６、及びナット５７でモルタル５５上に固定される。そして、この根太材５２上に木製のフローリング材５３を根太材５２に対して略直交方向に複数近接させて敷設し、木ねじ６３で固定するようにしている。
【０００４】
一般に、このような木床構造は次のように施工される。
水はけを良好にするため、コンクリートスラブ５１は外側に向け所定の傾きをもって下降するように形成する。そして、このコンクリートスラブ５１の養生が終了した後、コンクリートスラブ５１の上に配置すべき部材の位置決めのための墨付けを行う。
【０００５】
この墨付けは、コンクリートスラブ５１上に立設するねじ棒５６の立設位置、木製の根太材５２、木製のフローリング材５３の配置位置を必要に応じてコンクリートスラブ５１上に記載するものである。
【０００６】
そして、この墨付けの位置に従って、コンクリートスラブ５１に、振動ドリル等の工具で孔部５４を開設し、孔部５４内にエポキシ系の接着剤５９を注入した後ねじ棒５６を立設し、接着剤５９によって、ねじ棒５６をコンクリートスラブ５１上に立設固定する。接着剤に代えホールアンカーをコンクリートスラブに嵌め込み、ねじ棒を固定することがある。
【０００７】
つぎに、ねじ棒の位置にあわせて、根太材５２に、ねじ挿入孔６１と、ナット取りつけ穴６２を開設する。
そして、根太材５２をこれらのねじ棒５６の上から被せるようにして取りつけ、根太材５２のレベルを合わせを行なう。この根太材５２のレベル合わせにより、それぞれの根太材５２の高さの調整と、複数の根太材５２の上面で構成される平面が水平になるように水準合わせとが行われる。
【０００８】
このレベル合わせには木製の楔材５８，５８を使用する。
即ち、根太材５２の下部を支えて根太材５２の位置及びレベルを調節するため、根太材５２の下部に木製の楔材５８，５８を配置して、根太材５２の高さ調整を行う。
ここで、楔材５８の下面に接着剤を塗布し、この接着剤硬化前に根太材５２が全体として所定の高さ位置を保って水平となるよう楔材５８，５８の位置合わせを行い、根太材５２のレベルが合わさったならば、ねじ棒５６に、上方からスプリングワッシャ６０を嵌め、更にナット５７をねじ込み、ねじ棒５６に根太材５２を仮固定する。
【０００９】
さらに、根太材の下方にモルタル５５を充填して根太材５２をコンクリートスラブ５１上に本固定する。
【００１０】
ここで、根太材５２の上面から上側にねじ棒５６がはみ出しているときには、根太材５２の上面からはみ出た突出部分を電動グラインダ等の工具を用いて切断あるいは研削して、ねじ棒５６が根太材５２の上方に突出しないようにする。
【００１１】
その後、上記根太材５２上に木製のフローリング材５３を根太材５２の延設方向と直角且つそれぞれ所定間隔を開けて平行に位置決めして敷設する。このフローリング材５３の敷設に際しては、フローリング材５３に、ねじ止め用の下穴６５を開設する。そして順次フローリング材５３を根太材５２に木ねじ６３で固定する。このとき、フローリング材５３上に木ねじ６３の頭を露出させたくないときには、図５に示すように、木ねじ用下孔６５の上側に座ぐり孔６６を開設しておき、木栓６４を嵌入する。
【００１２】
【発明が解決しようとする課題】
ところで、上述した従来の木床構造及び施工方法にあっては、フローリング材５３として、硬質の木材を使用している。このため、根太材５２にフローリング材５３を固定するにあたって、フローリング材５３に木ねじ６３ねじ込み用の下孔６５を開設しなければならない。
しかしながら、木ねじ６３がフローリング材５３上に整然と配置されるようにするためには、下孔６５が正確な位置に穿設される必要がある。そのため、下孔の穿設位置を正確に位置決めする必要があり、この位置決めした個所に正確にドリルで下孔６５を穿孔しなけれらばならず、手間がかかる。
【００１３】
また、フローリング材５３に下孔６５を穿設すると、木屑が生じ、この木屑を清掃しなければならず、この清掃に手間がかかるという問題がある。特に、木床を屋外に施工する場合には、風で既に施工した木床の下に木屑が入り込むことがあり、この様に木床の下に入り込んだ木屑を清掃するのは厄介である。
【００１４】
そこで、本発明は、木製根太材と、木製フローリング材とを容易に、手間をかけることなく確実に接続することができる木製床構造における根太材とフローリング材との結合金具及び木製フローリング材の敷設方法を提供することを目的とする。
【００１５】
【課題を解決するための手段】
上記課題を解決するため、本発明における木製床構造における根太材とフローリング材との結合金具に係る第１の課題解決手段は、コンクリートスラブ（１）上で複数離間して平行に配設した木製の根太材（２）の上に、木製のフローリング材（３）を上記根太材（２）に対して略直交方向に複数近接させて敷設するための、木製床構造における根太材（２）とフローリング材（３）との結合金具（１０）であって、該結合金具（１０）は、隣接して配置される２枚のフローリング材（３，３）の向き合う側面部（４，４）に両フローリング材（３，３）の長手方向に沿って形成された溝部（５）に嵌入されるよう両フローリング材（３，３）側に向けて延設され、フローリング材（３）の長さ方向に所定の長さ寸法を有する係止板部（１１）と、前記両係止板部（１１，１１）の上記隣合う２枚のフローリング材（３，３）の間に相当する中央位置から下方に向けて延設され、且つフローリング材（３）の延設方向に沿って延設される板状の吊架板部（１２）と、前記吊架板部（１２）の下側縁部から上記フローリング材（３）の長手方向へ棒状に延び、その先端には上記根太材（２）の側面（２ａ）の長手方向へ形成された溝部（６）に打ち込む楔状の尖端（１３）を形成した突設部（１４）とを備えたことを特徴とするものである。
【００１６】
同上木製床構造における根太材とフローリング材との結合金具に係る第２の課題解決手段は、上記係止板部（１１）は、フローリング材（３）の長さ方向に沿う長さ寸法が、フローリング材（３）の幅方向に沿う幅寸法より大きいことを特徴とする。
【００１７】
同上木製床構造における根太材とフローリング材との結合金具に係る第３の課題解決手段は、上記結合金具（１０）は、尖端（１３）の形状を、結合金具（１０）が打ち込まれたときフローリング材（３）が下方に向け移動するように構成されたことを特徴とする。
【００１８】
同上木製床構造における根太材とフローリング材との結合金具に係る第４の課題解決手段は、上記結合金具（１０）の尖端（１３）は、突設部（１４）の上側の傾斜面（１４ａ）を先端に向け下方に傾斜させて形成したことを特徴とする。
【００１９】
本発明における木製フローリング材の敷設方法に係る第１の課題解決手段は、コンクリートスラブ（１）上に木製の根太材（２）を複数離間して平行に配設し、この根太材（２）上に木製のフローリング材（３）を根太材（２）に対して略直交方向に複数近接させて敷設し、上記根太材（２）と上記フローリング材（３）とを請求項１ないし請求項４に記載の結合金具（１０）で結合する木製フローリング材の敷設方法において、上記フローリング材（３）には、その側面部（４）の長手方向に沿って上記結合金具（１０）の係止板部（１１）が嵌入できる溝部（５）を形成し、根太材（２）には、その側面に長手方向に沿って上記結合金具の突設部を打ち込むことができる溝部（６）を形成し、上記フローリング材（３）の溝部（５）に上記結合金具（１０）の係止板部（１１）を嵌入させつつ、上記根太材（２）の溝部（６）に上記結合金具（１０）の突設部（１４）を打ち込んで、フローリング材（３）を根太材（２）に結合し、上記根太材（２）に打ち込まれた結合金具（１０）の係止板部（１１）に、次のフローリング材（３）の溝部（５）を嵌入させて配置し、反対側の側面部（４）に形成した溝部（５）に次の結合金具（１０）の係止板部（１１）を嵌入させるとともに、この結合金具（１０）の突設部（１４）を根太材（２）に打ち込み、この手順を順次行い、根太材（２）上にフローリング材（３）を敷設することを特徴とするものである。
【００２２】
【発明の実施の形態】
以下本発明に係る木製床構造における根太材とフローリング材との結合金具及び木製フローリング材の敷設方法実施の形態の一例について説明する。
【００２３】
〔結合金具の構成〕
本発明に係る木製床構造における根太材とフローリング材との結合金具１０は、図１及び図２に示すように、コンクリートスラブ１上に木製の根太材２を複数離間して平行に配設し、この根太材２上に木製のフローリング材３を根太材２に対して略直交方向に複数近接させて敷設して構成した木製床構造に使用する根太材２とフローリング材３とを結合するものである。
【００２４】
そして、本例において、根太材２は、硬質の木材で断面略矩形に形成され、図１及び図３に示すように、その全長にわたって側面に根太材２をコンクリートスラブ１に支承するための支持金具７挿入用の溝部６を形成してなる。
【００２５】
そして、本例において結合金具１０は、例えば厚さ４ｍｍの溶融亜鉛メッキされた鋼製の板材で形成された部材である。そしてこの結合金具１０は、図２に示すように水平方向に配設される係止板部１１と、この係止板材１１の下方に吊架される吊架板部１２と、この吊架板部１２から水平方向に延び先端に尖端１３を形成した突設部１４とを備えたものである。
本例では、この結合金具１０は係止板部１１に吊架板部１２を溶接して全体を構成している。
【００２６】
また、結合金具１０は断面Ｔ字型の型材を適宜切断して、上側の水平板材を係止板部１１とし、この水平板材から吊架される垂直板材を切削、あるいはプレス加工することにより吊架板部１２及び突設部１４を形成してもよい。
また、厚さ及び材質をアルミニウム合金等に必要に応じて適宜変更することができる。
【００２７】
係止板部１１は、図１及び図２に示すように、隣接して配置される２枚のフローリング材３の向き合う側面部４にフローリング材３の長手方向に沿って全長にわたって形成された溝部５（例えば上下方向４ｍｍ×深さ１２ｍｍ）に嵌入できるように、両フローリング材３側に向け延設される。
この係止板部１１は、フローリング材３の長さ方向に所定の長さ寸法（図２（１）中Ｌ：例えば３０ｍｍ）を有するものとし、この寸法は必要により、適宜変更することができる。
【００２８】
また、係止板部の幅方向寸法（図２（３）中Ｗ：例えば３０ｍｍ）は、フローリング材３に設けた溝部の深さ、及び隣接するフローリング材３，３の設定間隔により適宜変更することができる。即ち、フローリング材３に設けた溝部５の深さ寸法の二倍の寸法と、隣接するフローリング材３，３の間隔寸法とを加えた値にすればよい。
【００２９】
また、本例では、吊架板部１２は、前記係止板部１１の略中央部であって、上記隣合うフローリング材２の間に相当する位置から下方に向け、かつフローリング材３の延設方向に沿って延設される板状の部材としている。
この吊架板部１２の上下方向の寸法（図２（１）中Ｔ）は、取り付けるフローリング材３の厚さ寸法、溝部５の形成位置、及び根太材２の寸法等により適宜設定することができる。
【００３０】
そして、本例では、突設部１４は、吊架板部１２の下側の縁部から上記フローリング材３の長手方向に延設されている。
この突設部１４は図２に示すように、断面正方形の棒状部材であり、その先端に楔状の尖端１３を形成している。
【００３１】
また、本例では結合金具１０の突設部１４は、尖端１３の形状を、結合金具１０が打ち込まれたときフローリング材３が下方に向け移動するように構成されている。
【００３２】
即ち、本例では結合金具１０の尖端１３は、突設部１４の傾斜面１４ａを先端に向け下方に傾斜させて形成している。
この尖端１３の形状は、この例の形状に限らず適宜選択することができる。
【００３３】
〔本実施の形態の施工方法〕
以下この結合金具１０を用いて木床を施工する手順について説明する。
この例では、コンクリートスラブ１上に木製の根太材２を複数離間して平行に配設する。
【００３４】
本例では、根太材２を、支持金具７を用いてコンクリートスラブ１に取付ける。この例では、支持金具７を取付けるため根太材２に溝部６が形成しているので、本例に係る結合金具１０の突出部１４をこの溝部６に沿って打ち込みやすくなる。
【００３５】
本例で、根太材２は、図１及び図３に示すように、断面略矩形の硬質木製部材であり、根太材２の厚みの中央部に、上記支持金具７が挿入される溝部６が長さ方向に沿って切り込まれている。
また、この根太材２には取付金具７が取り付けられる位置にねじ棒貫通孔２１が、上下方向に貫通して開設されている。
【００３６】
また、支持金具７は、図３に示すように、根太材２に取り付けられる保持金具１８と、コンクリートスラブ１上に立設されるねじ棒１９とからなる。保持金具１８及びねじ棒１９はステンレススチール製、又は溶融亜鉛メッキされた鋼製である。
【００３７】
保持金具１８は、断面略Ｃ型をなし、上記根太材２の底部を保持すると共に上記ねじ棒１９が貫通する貫通孔が開設される底板部１８ａと、上記底板部１８ａから根太材２の側面部に沿って立ち上がる立設板部１８ｂと、上記立設板部１８ｂから内側に延び、根太材２の両側面部に形成された溝部６に嵌まり込む水平嵌入板部１８ｃとが形成される。
【００３８】
また、上記底板部１８ａの下側の前記貫通孔の開設位置には、上記ねじ棒１９がねじ込まれ、この保持金具１８の底板部１８ａと上記ねじ棒１９との上下方向の位置を調整可能にするナット２０が溶接されて固定されている。
【００３９】
次に本例に係る木床を施工する方法について説明する。
先ず、根太材２は、予め現場に搬入するより前に加工場、例えば輸入する現地の木材加工場において、溝部６が形成され、また施工現場の仕様に基づいて、ねじ棒貫通孔２１が開設されている。また、フローリング材３にはその側面部４に溝部５が形成されている。
【００４０】
根太材２は、硬質の材木を使用するものであり、その断面寸法を例えば、６ｃｍ（幅寸法）×４ｃｍ（高さ寸法）×１８０ｃｍ（長さ）として、両端から約９０ｃｍ離れた二個所にねじ棒貫通孔２１（例えば直径１４ｍｍ）が貫通される。
【００４１】
また、根太材２の側部２ａに設けられる溝部６の寸法は、適宜定められるが、この溝部６は、例えば、根太材２の断面の上下方向の中央部に設けられ、上下方向約８ｍｍ，奥行き約１０ｍｍとして開設されている。
この寸法は、図３に示すように、上述した結合金具１０の突設部１４と、保持金具１８が両方とも差し込める寸法である。しかしこのような寸法に限られるものではない。
【００４２】
そして、施工直前に支持金具７の保持金具１８の水平嵌入板部１８ｃが上記溝部６に嵌め込まれ、保持金具１８は上記ねじ棒貫通孔２１の位置に配置される。
【００４３】
施工現場においては、施工仕様に基づいて、コンクリートスラブ１上に、根太材２のピッチ寸法、孔部２２の位置、床材の割りつけを墨糸、その他の手段を用いて墨打ちをして、各部材の位置決めがなされる。
【００４４】
次に、このコンクリートスラブ１に墨付けした孔部２２の開設位置に、振動ドリル等の工具を用いて、所定の直径の孔を所定の深さに孔部２２を穿設する。
このとき、コンクリートスラブ１に穿孔される孔部２２は、例えば、直径は約４０ｍｍ、深さは約５０ｍｍである。
【００４５】
最初の一本の根太材２をコンクリートスラブに施工するときには、根太材２に設けた保持金具１８の底板部１８ａの貫通孔が根太材２の２か所のねじ棒貫通孔２１に一致するように、根太材２に保持金具１８を配置する。また、根太材２の両端にも保持金具１８を配置する。この両端に配置する２つの保持金具１８は、その貫通孔が根太材２の端部で塞がらない程度にまで根太材２に差し込んで取付ける。
【００４６】
そして、各保持金具１８に取り付けられたナット２０にねじ棒１９をねじ込む。ねじ棒の直径は適宜選択できるが、この例では１２ｍｍのものを使用している。従って、上記ナット２０も１２ｍｍ用のものを用い、保持金具１８の貫通孔８及び根太材２のねじ棒貫通孔２１の直径は１２ｍｍ以上のものとする。
【００４７】
次に、根太材２をコンクリートスラブ１上に配置して、レベル合わせを行なう。
根太材２の両端に相当する個所のコンクリートスラブ上の孔部２２にエポキシ樹脂、ウレタン樹脂等からなる接着剤２３を充填して、根太材２を、コンクリートスラブ１上の所定の個所に配置し、根太材２の両端に配置したねじ棒１９の先端を差し込む。このときねじ棒１９の先端が孔部２２に入り込む。
そして、ねじ棒１９の下端部がコンクリートスラブ１に形成された孔部２２の底部に接触させることにより根太材２のレベル調整を行なう。
尚、図３中符号２１は内孔に雌ねじがねじ切りされた鍔部材である。
【００４８】
この例では、ねじ棒１９を根太材２の上方から回転させることにより根太材２のレベル調整を行なう。まず、コンクリートスラブ１の孔部２２に接着剤２３を充填しておく。そして、鍔部材２１をねじ棒１９の中間部付近まで移動させておき、ねじ棒１９を回転させ、下方に移動させる。すると、ねじ棒１９の下端は、コンクリートスラブ１の接着剤２３が充填された孔部２２の底壁２２ａに接触する。
【００４９】
このねじ棒１９の繰り出し量により根太材２の高さ調整を行なう。高さ調整の終了後、鍔部材３２を回転下降させ、コンクリートスラブ１の上面に接触させ、ねじ棒１９が移動しないようにして安定させる。
次に、コンクリートスラブ１上の他の孔部２２に接着剤２３を充填し、上記レベル合わせした両端の支持金具７の間に位置する支持金具７の設定を行なう。
この状態においては、接着材はまだ硬化しておらず、根太材のレベル調整を行なうことができる。
【００５０】
そして、１つ根太材の位置が定まったら順次、次の長さ方向に隣合う根太材の設置を行なう。
このように、所定の領域の根太材について施工を行ったのち、隣接する根太材間に板材等を釘付けして接着剤が硬化するまで、仮止めを行う。
これにより、コンクリートスラブ上への根太材の設置は終了する。
また、この段階で、根太材２のねじ棒貫通孔２１の内部に接着材を注入して、根太材２と支持金具１とを固定することができる。
【００５１】
所定の範囲のコンクリートスラブ１上に根太材を設置したのち、本発明に係る結合金具１０を使用して根太材２にフローリング材３を取付ける。
フローリング材３は、図１及び図３に示すように、根太材に対して直交方向に取りつけられる。フローリング材３は通常厚さ２０〜３０ｍｍ、幅１００〜３００ｍｍ、長さ１２００〜３０００ｍｍであり、それぞれのフローリング材３は、雨水等を排水するためそれぞれ幅方向には約５ｍｍ〜７ｍｍの間隔を設けて配置される。
【００５２】
フローリング材３には上述したように、予め溝部５が形成されている。
まず、コンクリートスラブ１上に固定された根太材２上に一のフローリング材３の位置決めをする。そしてフローリング材３に形成された溝部５に結合金具１０の係止板部１１を嵌入する。このとき、ハンマー等の工具を用いる。
【００５３】
そして、係止板部１１を溝部５に嵌入させつつ、結合金具１０の突設部１４を根太材２に打ち込んで、フローリング材３を根太材２に結合する。この時フローリング材３の溝部５から係止板部１１が外れないようにしなければならない。
【００５４】
実際には、まず、フローリング材３の溝部に結合金具１０の係止板部１１をハンマーで叩き込む。このとき、突設部１４の尖端が根太材２に向くようにしておく。
そして、係止板部１１を根太材２の溝部５から外れないようにしつつ、係止金具１０の突設部１４を根太材２の溝部６に入れ込み、突設部１４の尖端１３をハンマー等で根太材２に打ち込む。
【００５５】
このとき、本例では、根太材２には溝部６が設けられているので、図３に示すように結合金具１０の突設部１４をこの溝部の上側の壁に沿わせることができ、結合金具１０の上下方向の位置を容易に定めることができる。
【００５６】
また、本例では結合金具１０の尖端１３は、突設部１４傾斜面１４ａを先端に向け、下方に傾斜させて形成したから、フローリング材３が根太材２から浮き上がることなく、フローリング材３を根太材２に密着させて取付けることができる。
このようにして、一のフローリング材３を複数の個所において、結合金具１０で根太材２に固定することにより、フローリング材３は根太材２に固定される。
【００５７】
そして、該固定したフローリング材に隣接したフローリング材３を取付ける時には以下のような手順で行なう。
【００５８】
即ち、隣接して固定されているフローリング材３に結合された結合金具１０を利用して次のフローリング材３を取付けるのである。
先ず、根太材２に打ち込まれた結合金具１０の係止板部１１に次のフローリング材３の溝部５を嵌入させて配置する。この操作は、根太材２上に次に取付けるフローリング材３を沿わせて、溝部５が結合金具１０の係止板部に嵌まり込む様にすればよい。
【００５９】
そして、反対側側面部４に形成した溝部５に、新たな結合金具１０の係止板部１１を嵌入させて、突出部１４の突端を根太材２に打ち込む。
この手順を順次行い、根太材２上にフローリング材３を敷設することができる。
【００６０】
以上説明したように、本発明に係る木製床構造における根太材とフローリング材との結合金具及び木製フローリング材の敷設方法の実施の形態によれば、下孔の穿設等の作業を行なうことなく、容易にフローリング材を根太材に固定することができる。
【００６２】
さらに、根太材をコンクリートスラブ上に配設するには、従来例で示したように、コンクリートスラブ１にモルタルの固まりでねじ棒を適宜立設し、ナットで取付ける方法によってもよい。
【００６３】
【発明の効果】
以上説明したように、本発明に係る木製床構造における根太とフローリング材との結合金具及び木製フローリング材の敷設方法によれば、フローリング材に下孔を開ける必要がなく、根太材にフローリング材を手間をかけることなく容易かつ確実に取り付けることができて、施行期間の短縮をはかることができるとともに施工コストを低減することができる。また、結合金具は係止板部と突設部とをフローリング材と根太材とのそれぞれの溝に食い込ませて固定するから、係止板部と突設部とにより根太材からフローリング材が浮き上がることを抑えて、根太材にフローリング材を密着させるように取り付けることができる。
【図面の簡単な説明】
【図１】本発明に係る木製床構造における根太材とフローリング材との結合金具及び木製フローリング材の敷設方法木床構造の実施の形態の一例を示す斜視図である。
【図２】図１に示した木製床構造における根太材とフローリング材との結合金具及び木製フローリング材の敷設方法の結合金具を示す図であり、（１）は側面図、（２）は背面図、（３）は正面図、（４）は底面図である。
【図３】本発明の木製床構造における根太材とフローリング材との結合金具及び木製フローリング材の敷設方法に係る木床構造の断面図である。
【図４】従来の木製床構造における根太材とフローリング材との結合金具及び木製フローリング材の敷設方法を示す斜視図である。
【図５】従来の木床構造の実施を示す断面図である。
【符号の説明】
１  コンクリートスラブ
２  根太材
３  フローリング材
４  側面部
５  溝部
６  溝部
１０  結合金具
１１  係止板部
１２  吊架板部
１３  尖端
１４  突設部
【図１】
0003838727.tif 000002
【図２】
0003838727.tif 000003
【図３】
0003838727.tif 000004
【図４】
0003838727.tif 000005
【図５】
0003838727.tif 000006